(57)【要約】【課題】脱衣し易い防護服を実現する。【解決手段】防護服１は、フード部２０を有する上衣１０とズボン１１とが一体に形成されたツナギ型のものある。防護服１は、一の袖部２２の先端部２２ａから他の袖部２３の先端部２３ａまで延びる開放自在な開放部４０と、胴部２１の前面中央部を上下方向に開閉自在な前面開閉部８０と、を有する。開放部４０は、フード部２０を通っている。【選択図】図１
2011184806.tif 000002
【特許請求の範囲】
【請求項１】
フード部を有する上衣とズボンとが一体に形成されたツナギ型の防護服であって、
一の袖部の先端部から他の袖部の先端部まで延びる開放自在な開放部と、
胴部の前面中央部を上下方向に開閉自在な前面開閉部と、を有する、防護服。
【請求項２】
前記開放部は、前記フード部を通る、請求項１に記載の防護服。
【請求項３】
前記開放部は、前記袖部において生地の接合部を通る、請求項１又は２に記載の防護服。
【請求項４】
前記開放部は、少なくともいずれかの前記袖部の先端部に当該袖部の周方向の相反する２方向の張力が加えられることにより当該袖部の先端部から前記開放部を開放する部材により構成されている、請求項１〜３のいずれかに記載の防護服。
【請求項５】
前記袖部には、前記開放部の開放が開始される前記袖部の先端部を覆うカバー部材が設けられ、
前記カバー部材は、前記先端部から取り外し自在である、請求項４に記載の防護服。
【請求項６】
前記開放部は、開閉自在に構成されている、請求項１〜５のいずれかに記載の防護服。
【請求項７】
前記前面開閉部は、前記フード部の前面にあるフード開口部の下側縁部から下方の腰部まで形成されている、請求項１〜６のいずれかに記載の防護服。
【請求項８】
フード部を有する上衣とズボンとが一体に形成されたツナギ型の防護服であって、
一の袖部の先端部から他の袖部の先端部まで延びる開閉自在な開閉部を有する、防護服。
【請求項９】
前記開閉部は、前記フード部を通る、請求項８に記載の防護服。
【請求項１０】
前記開閉部は、前記袖部において生地の接合部を通る、請求項８又は９に記載の防護服。
【発明の詳細な説明】
【技術分野】
【０００１】
本発明は、フード部を有する上衣とズボンとが一体に形成されたツナギ型の防護服に関する。
【背景技術】
【０００２】
例えばインフルエンザなどのウィルスや細菌の感染を防ぐ防護服として、フード付きの上衣とズボンとを一体に形成したツナギ型の防護服がある。
【０００３】
この種の防護服は、前面中央の首根元辺りから股辺りに掛けて開閉自在なファスナーが設けられているものが一般的であり、このファスナーを開いて防護服を着脱できる（特許文献１、２参照。）。脱衣の際には、ファスナーを開いて前面中央を開口し、初めにフードを脱ぐ。その後前開きの開口部から肩を抜き、続いて腕を抜いて上半身を脱衣し、その後下半身を脱衣している。
【先行技術文献】
【特許文献】
【０００４】
【特許文献１】特開２００５−２３４６０号公報
【特許文献２】特開２００１−１１６８８６号公報
【発明の概要】
【発明が解決しようとする課題】
【０００５】
しかしながら、上述のような防護服は、前面中央を開口しても、ツナギ型であるため、ズボン部分により上衣部分の動きが制限され、肩を抜き難い。加えて、両肩部分に繋がっているフードが、前開きの開口部の左右の開きを制限するため、肩を抜く作業がさらに困難となる。肩が抜けないと腕を抜く動きに移行できないため、脱衣が困難で、脱衣に時間がかかってしまう。よって、上述のような防護服は、例えば医療従事者が防護服を迅速に脱衣して患者に次の処理を施したいような場合にも脱衣に時間がかかり、対応が遅れる原因にもなり得る。
【０００６】
本発明は、かかる点に鑑みてなされたものであり、脱衣し易く、迅速に脱衣可能な防護服を提供することをその目的とする。
【課題を解決するための手段】
【０００７】
上記目的を達成するための本発明は、フード部を有する上衣とズボンとが一体に形成されたツナギ型の防護服であって、一の袖部の先端部から他の袖部の先端部まで延びる開放自在な開放部と、胴部の前面中央部を上下方向に開閉自在な前面開閉部と、を有する。
【０００８】
本発明によれば、開放部により両袖部の先端部間を開放できるので、防護服の上部が肩幅よりも大きく開口する。よって、両肩が簡単に抜けるので、防護服の脱衣が容易になり、脱衣を迅速に行うことができる。
【０００９】
前記開放部は、前記フード部を通っていてもよい。かかる場合、フード部が前後に開くので、頭と肩を一緒に脱衣できる。これにより、防護服の脱衣がさらに容易になる。
【００１０】
前記開放部は、前記袖部において生地の接合部を通るようにしてもよい。かかる場合、生地の接合部を利用して開放部を形成できる。よって、開放部のために生地を裁断等する工程を省略でき、防護服の製造が容易になる。また、生地の接合部の数が減るので、防護服の防護性を向上できる。
【００１１】
前記開放部は、少なくともいずれかの前記袖部の先端部に当該袖部の周方向の相反する２方向の張力が加えられることにより当該袖部の先端部から前記開放部を開放する部材により構成されていてもよい。かかる場合、手の届き易い袖部の先端部に張力を加えて開放することによって、開放部全体を簡単に開放することができるので、脱衣が容易になる。
【００１２】
前記袖部には、前記開放部の開放が開始される前記袖部の先端部を覆うカバー部材が設けられ、前記カバー部材は、前記先端部から取り外し自在であってもよい。かかる場合、袖部の先端部がカバー部材によって保護されるので、脱衣時以外の時に誤って袖部の先端部からの開放部の開放が開始されることを防止できる。
【００１３】
前記開放部は、開閉自在に構成されていてもよい。かかる場合、例えば着衣時に開放部を一旦開放しその後閉めることができるので、着衣が容易になる。
【００１４】
前記前面開閉部は、前記フード部の前面にあるフード開口部の下側縁部から下方の腰部まで形成されていてもよい。かかる場合、脱衣時に開放部に加えて、前面開閉部も広く開口できるので、脱衣が容易になる。
【００１５】
別の観点による本発明は、フード部を有する上衣とズボンとが一体に形成されたツナギ型の防護服であって、一の袖部の先端部から他の袖部の先端部まで延びる開閉自在な開閉部を有する。
【００１６】
本発明によれば、開閉部により両袖部の先端部間を開放できるので、防護服の上部が肩幅よりも大きく開口する。これにより、両肩が簡単に抜けるので、防護服の脱衣が容易になり、脱衣を迅速に行うことができる。また、開閉部を用いて着衣もできるので、他の開口を形成する必要がなく、その分防護服の製造が容易になる。また、防護服の防護性も向上できる。
【００１７】
前記開閉部は、前記フード部を通るようにしてもよい。かかる場合、フード部が前後に開くので、頭と肩を一緒に脱衣できる。これにより、防護服の脱衣がさらに容易になる。
【００１８】
前記開閉部は、前記袖部において生地の接合部を通るようにしてもよい。かかる場合、生地の接合部を利用して開閉部を形成できる。よって、開閉部のために生地に裁断等する工程を省略でき、防護服の製造が容易になる。また、生地の接合部の数が減るので、防護服の防護性を向上できる。
【発明の効果】
【００１９】
本発明によれば、防護服の脱衣が容易になり、短時間で迅速に脱衣できる。
【図面の簡単な説明】
【００２０】
【図１】本実施の形態にかかる防護服の前面を示す図である。
【図２】防護服の背面の図である。
【図３】袖部の先端部周辺の構成を示す図である。
【図４】袖部の先端部のカバー部材が閉じられた状態を示す図である。
【図５】袖部の先端部のカバー部材が開いた状態を示す図である。
【図６】開放部が開いた状態の防護服の前面を示す図である。
【図７】前面開閉部がない防護服の前面を示す図である。
【発明を実施するための形態】
【００２１】
以下、図面を参照して、本発明の好ましい実施の形態について説明する。図１は、本実施の形態にかかる防護服１の一例を示す前面図である。図２は、防護服１の背面図である。
【００２２】
防護服１は、上衣１０とズボン１１が一体に形成されたツナギ型のものである。上衣１０は、フード部２０、胴部２１及び１対の袖部２２、２３を有し、ズボン１１は、１対の脚部２４を有している。フード部２０の前面には、視界を確保するための略円状のフード開口部３０が形成されている。
【００２３】
防護服１は、図１及び図２に示すように一の袖部２２の先端部２２ａから他の袖部２３の先端部２３ａに線状に延びる開放自在な開放部４０を有している。開放部４０は、例えば袖部２２の上縁を先端部２２ａから肩部２２ｂまで延伸し、フード部２０の上縁部２０ａを肩部２２ｂから袖部２３の肩部２３ｂまで延伸し、さらに袖部２３の肩部２３ｂから先端部２３ａまで延伸している。開放部４０は、例えば袖部２２、２３の上縁にある生地の接合部Ａ上を通っている。なお、ここで、袖部の先端部とは、袖部の脇と袖口の中間より先端側のいずれかの部分である。本実施の形態では、袖部２２、２３の先端部２２ａ、２３ａは、袖部２２、２３の袖口にある。
【００２４】
開放部４０は、例えば袖部２２の先端部２２ａの周方向に相反する２方向の張力が加えられることにより当該先端部２２ａから開放部４０を開放する部材、例えば引裂ファスナー５０により形成されている。引裂ファスナー５０は、例えば図３に示すように線ファスナーの一対のエレメント（務歯）５０ａを有し、エレメント５０ａに左右方向の張力をかけることにより先端部２２ａを始点として先端部２３ａの終点まで引き裂くことができる。
【００２５】
また、開放部４０の引裂ファスナー５０は、カバー部材６０により覆われている。カバー部材６０は、例えば長方形の帯状に形成されている。カバー部材６０の長辺の一辺側は、開放部４０に沿って、袖部２２の前面側の袖前面部２２ｃ、フード部２０の前面側のフード前面部２０ｂ及び袖部２３の前面側の袖前面部２３ｃに縫合されている。カバー部材６０の長辺の他辺側は、例えば面ファスナー６１により袖部２２の後面側の袖後面部２２ｄ、フード部２０の後面側のフード後面部２０ｃ及び袖部２３の後面側の袖後面部２３ｄに固定されている。防護服１の脱衣時には、例えば開放部４０の引裂ファスナー５０がエレメント５０ａから２つに分離されるとともに、面ファスナー６１の固定が外れてカバー部材６０が袖後面部２２ｄ、フード後面部２０ｃ及び袖後面部２３ｄから離脱する。
【００２６】
また、袖部２２には、閉じたときに袖部２２の先端部２２ａを覆い、開いたときに先端部２２ａを露出させるカバー部材７０が設けられている。カバー部材７０は、例えば方形状に形成されている。カバー部材７０は、接合片７０ａにより袖後面部２２ｄの裏面に接合され、開いたときには先端部２２ａから外側に突出する。カバー部材７０は、図４に示すように先端部２２ａのある袖口縁を折り線として、カバー部材６０の上から先端部２２ａ上に折り返すことができる。図５に示すようにカバー部材６０の表面及び袖後面部２２ｄの表面と、それに対応するカバー部材７０の内面には、面ファスナー７１が取り付けられており、カバー部材７０を先端部２２ａから取り外しできる。なお、本実施の形態では、面ファスナーによりカバー部材６０、７０を閉じた状態に固定していたが、ボタンやホック、両面テープなどの他の固定部材により固定してもよい。
【００２７】
防護服１は、図１に示すように前面中央を直線状に上下方向に開閉自在な前面開閉部８０を有している。前面開閉部８０は、例えばフード開口部３０の下側縁部３０ａから腰部８１まで下方に向かって形成されている。前面開閉部８０は、例えば右前身頃８２と左前身頃８３の接合部Ｂ上に形成されている。なお、ここで、腰部とは、防護服の脇と股の中間若しくは当該中間より下側のいずれかの部分である。
【００２８】
前面開閉部８０は、例えば線ファスナー９０により構成されている。例えば線ファスナー９０の上止が下側縁部３０ａに設置され、下止が腰部８１に設置されており、上から下に線ファスナー９０のスライダー９０ａを移動させることにより前面開閉部８０を開放し、下から上にスライダー９０ａを移動させることにより前面開閉部８０を閉鎖できる。
【００２９】
前面開閉部８０の近傍には、閉じたときに前面開閉部８０を覆い、開いたときに前面開閉部８０を露出させるカバー部材１００が設けられている。カバー部材１００は、例えば他の部分の生地と同材質で形成されている。カバー部材１００は、例えば面ファスナーなどの固定部材（図示せず）によって閉じた状態を維持できる。
【００３０】
上記防護服１の製造は、例えば次のように行われる。先ず、生地がフード前面部２０ｂ、フード後面部２０ｃ、右前身頃８２、左前身頃８３、後身頃８４、袖前面部２２ｃ、２３ｃ、袖後面部２２ｄ、２３ｄ、脚部２４等の各パーツに裁断され、それぞれのパーツが互いに縫合或いは溶着されて接合される。なお、生地の素材や構造等は、防護服１の目的に応じて適宜選択される。この際に、例えば右前身頃８２と左前身頃８３の接合部Ｂの一部は、縫合或いは溶着されない。また袖前面部２２ｃと袖後面部２２ｄの接合部、フード前面部２０ｂとフード後面部２０ｃの接合部、及び袖前面部２３ｃと袖後面部２３ｄの接合部からなる生地の接合部Ａも、縫合或いは溶着されない。そして、これらの接合部Ａ、Ｂ上に、線ファスナー９０、引裂ファスナー５０がそれぞれ縫合或いは溶着により取り付けられ、前面開閉部８０と開放部４０が形成される。なお、接合部Ａ、Ｂとは、本来接合されるべき裁断による生地の縁部のことであり、実際に接合されているか否かは問わない。
【００３１】
防護服１の着衣、脱衣は次のように行われる。防護服１を着衣する際には、体を前面開閉部８０の開口から防護服１内に入れて防護服１を装着し、続いて線ファスナー９０のスライダー９０ａを腰部８１からフード開口部３０の下側縁部３０ａまで移動させて、線ファスナー９０を閉めて前面開閉部８０を閉鎖する。その後、カバー部材１００を閉じて前面開閉部８０を覆う。なお、開放部４０は閉じた状態にある。
【００３２】
防護服１を脱衣する際には、開放部４０を開放する。このとき、先ずカバー部材７０を引張って開き、袖部２２の先端部２２ａを露出させる。次に、例えば袖部２２の袖前面部２０ｃと袖後面部２０ｄを持って先端部２２ａを周方向の相反する２方向に引っ張る。こうすることにより、図６に示すように引裂ファスナー５０が袖部２２の先端部２２ａからフード部２０、袖部２３の先端部２３ａに向かって２つに引き裂かれ、開放部４０が開放される。この結果、防護服１の上部に大きな開口が形成され、ここから両肩を抜いてズボン１１を脱いで脱衣する。なお、この脱衣の際に、前面開閉部８０も併せて開放してもよい。
【００３３】
以上の実施の形態によれば、開放部４０により両袖部２２、２３の先端部２２ａ、２３ａ間を開放できるので、防護服１の上部が肩幅よりも大きく開口する。これにより、両肩が簡単に抜けるので、防護服１の脱衣が容易になり、脱衣を迅速に行うことができる。
【００３４】
開放部４０は、フード部２０を通っているので、フード部２０が前後に開き、頭と肩を一緒に脱衣できる。これにより、防護服１の脱衣がさらに容易になる。
【００３５】
開放部４０は、袖部２２、２３において生地の接合部Ａを通るので、生地の接合部Ａを利用して開放部４０を形成できる。よって、開放部４０のために生地を裁断等する工程を省略でき、防護服１の製造が容易になる。また、生地の接合部の数が減るので、防護服１の防護性を向上できる。
【００３６】
開放部４０は、引裂ファスナー５０により構成されている。このため、手の届き易い袖部２２の先端部２２ａに張力を加えて開放することによって、開放部４０全体を簡単に開放することができ、脱衣が容易になる。
【００３７】
上記実施の形態において、袖部２２には、袖部２２の先端部２２ａを覆うカバー部材７０が設けられ、カバー部材７０は、先端部２２ａから取り外し自在である。よって、袖部２２の先端部２２ａがカバー部材７０によって保護されるので、脱衣時以外の時に誤って袖部２２の先端部２２ａからの開放部４０の開放が開始されることを防止できる。
【００３８】
前面開閉部８０は、フード開口部３０の下側縁部３０ａから下方の腰部８１まで形成されている。これにより、脱衣時に開放部４０に加えて、前面開閉部８０も広く開口できるので、脱衣が容易になる。
【００３９】
以上の実施の形態では、開放部４０に引裂ファスナー５０が用いられていたが、袖部２２に相反する２方向の張力を加えることにより先端部２２ａから開放部４０を開放する部材であればこれに限られない。例えばスライダーをエレメントの外側に引き出すことによりスライダーがエレメントから外れ、その後左右のエレメントに相反する２方向の張力をかけることにより簡単に開く、いわゆるトップオープンファスナーなどを用いてもよい。
【００４０】
また、以上の実施の形態では、開放のみができる引裂ファスナー５０を用いていたが、引裂ファスナー５０に代えて例えば線ファスナーなどを用いて、開放部４０を開閉自在にしてもよい。かかる場合、例えば防護服１の着衣時に前面開閉部８０に加え開放部４０を一旦開放しその後閉じることができるので、着衣が容易になる。
【００４１】
以上の実施の形態で記載した防護服１において、図７に示すように前面開閉部８０を設けず、開放部４０を開閉自在な開閉部４０としてもよい。この開閉部４０は、例えば引裂ファスナーに代えて線ファスナー５０により構成される。なお、その他の構成は、上記実施の形態と同様であるので同じ符号を用いて説明を省略する。
【００４２】
かかる場合の防護服１の着衣、脱衣は、次のように行われる。防護服１を着衣する際には、線ファスナー５０を開いて開閉部４０を開口し、体を開閉部４０の開口から防護服１内に入れて防護服１を装着する。続いて線ファスナー５０のスライダーを袖部２３の先端部２３ａから袖部２２の先端部２２ａまで移動させて、線ファスナー５０を閉めて開閉部４０を閉鎖する。その後、例えばカバー部材６０及びカバー部材７０を閉じて開閉部４０を覆う。
【００４３】
防護服１を脱衣する際には、カバー部材６０及びカバー部材７０を開き、開閉部４０を露出させる。次に、線ファスナー５０のスライダーを袖部２２の先端部２２ａから袖部２３の先端部２３ａまで移動させて、線ファスナー５０を開けて開閉部４０を開放する。この開閉部４０の開口から両肩を抜いて脱衣する。
【００４４】
かかる場合も、開閉部４０により防護服１の上部を肩幅よりも大きく開口できるので、防護服１の脱衣が容易になり、脱衣を迅速に行うことができる。
【００４５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４６】
例えば以上の実施の形態では、開放部４０及び開閉部４０は、フード部２０の上縁部２０ａを通っていたが、フード部２０の他の位置を通ってもよい。また、フード部２０を通らなくてもよく、例えばフード後面部２０ｃよりも下の胴部２１の背面側やフード前面部２０ｂよりも下の胴部２１の前面側を通ってもよい。
【００４７】
また、本発明は、ウィルスや細菌の防護服に限られず、虫などの生物から身を護るものや、化学物質や放射線などから身を護るもの、耐熱、耐水、耐圧のためのものなど他の用途の防護服にも適用できる。
【産業上の利用可能性】
【００４８】
本発明は、脱衣し易い防護服を実現する際に有用である。
【符号の説明】
【００４９】
１  防護服
１０  上衣
１１  ズボン
２０  フード部
２１  胴部
２２  袖部
２２ａ  先端部
２３  袖部
２３ａ  先端部
３０  フード開口部
４０  開放部
８０  前面開閉部
【図１】
2011184806.tif 000003
【図２】
2011184806.tif 000004
【図３】
2011184806.tif 000005
【図４】
2011184806.tif 000006
【図５】
2011184806.tif 000007
【図６】
2011184806.tif 000008
【図７】
2011184806.tif 000009